【手続補正書】
【提出日】平成28年2月1日(2016.2.1)
【手続補正１】
【補正対象書類名】明細書
【補正対象項目名】発明の名称
【補正方法】変更
【補正の内容】
【発明の名称】画像形成装置及びその制御方法、システム、管理機能付画像形成装置、並びにプログラム
【手続補正２】
【補正対象書類名】明細書
【補正対象項目名】０００１
【補正方法】変更
【補正の内容】
【０００１】
本発明は、画像形成装置及びその制御方法、システム、管理機能付画像形成装置、並びにプログラムに関する。
【手続補正３】
【補正対象書類名】明細書
【補正対象項目名】０００９
【補正方法】変更
【補正の内容】
【０００９】
本発明の目的は、他の画像形成装置から所望の印刷データを取得して印刷する場合に、ネットワークに接続された全ての画像形成装置に所望の印刷データの有無を問い合わせることなく、所望の印刷データを取得可能な画像処理装置及びその制御方法、システム、管理機能付画像形成装置、並びにプログラムを提供することにある。
【手続補正４】
【補正対象書類名】明細書
【補正対象項目名】００１０
【補正方法】変更
【補正の内容】
【００１０】
上記目的を達成するために、請求項１の画像形成装置は、上位装置から受信した印刷データを他の画像形成装置からの要求に応じて送信する機能と、他の画像形成装置から印刷データを取得して印刷する機能とを有する画像形成装置であって、前記上位装置から印刷データを受信する受信手段と、前記受信手段により受信された印刷データを記憶部に記憶する記憶手段と、前記印刷データが記憶された画像形成装置を特定する特定情報を含む書誌情報を、前記書誌情報を管理する管理機能付画像形成装置に送信することで登録する登録手段と、前記管理機能付画像形成装置に登録された書誌情報を取得するための書誌情報取得要求を前記管理機能付画像形成装置に送信することで、前記書誌情報を取得する書誌情報取得手段と、前記書誌情報取得手段により取得された書誌情報に含まれる特定情報から、印刷対象の印刷データである印刷対象データが記憶された画像形成装置を特定し、特定された画像形成装置から前記印刷対象データを取得する印刷データ取得手段と、前記印刷データ取得手段により取得された前記印刷対象データを印刷する印刷手段とを有することを特徴とする。
【手続補正５】
【補正対象書類名】特許請求の範囲
【補正対象項目名】全文
【補正方法】変更
【補正の内容】
【特許請求の範囲】
【請求項１】
上位装置から受信した印刷データを他の画像形成装置からの要求に応じて送信する機能と、他の画像形成装置から印刷データを取得して印刷する機能とを有する画像形成装置であって、
前記上位装置から印刷データを受信する受信手段と、
前記受信手段により受信された印刷データを記憶部に記憶する記憶手段と、
前記印刷データが記憶された画像形成装置を特定する特定情報を含む書誌情報を、前記書誌情報を管理する管理機能付画像形成装置に送信することで登録する登録手段と、
前記管理機能付画像形成装置に登録された書誌情報を取得するための書誌情報取得要求を前記管理機能付画像形成装置に送信することで、前記書誌情報を取得する書誌情報取得手段と、
前記書誌情報取得手段により取得された書誌情報に含まれる特定情報から、印刷対象の印刷データである印刷対象データが記憶された画像形成装置を特定し、特定された画像形成装置から前記印刷対象データを取得する印刷データ取得手段と、
前記印刷データ取得手段により取得された前記印刷対象データを印刷する印刷手段と
を有することを特徴とする画像形成装置。
【請求項２】
前記印刷データ取得手段により前記印刷対象データを取得するように前記画像形成装置を操作したユーザごとに、前記印刷対象データを取得した取得先の画像形成装置を特定する特定情報を示す使用履歴情報が前記記憶部に記憶されており、
前記書誌情報取得手段は、前記管理機能付画像形成装置に接続できない場合には、前記使用履歴情報に示される特定情報により特定される画像形成装置、及び前記使用履歴情報に示される特定情報により特定される画像形成装置からユーザにより選択された画像形成装置のいずれかの画像形成装置から前記書誌情報を取得することを特徴とする請求項１記載の画像形成装置。
【請求項３】
前記印刷データ取得手段により前記印刷対象データを取得するように前記画像形成装置を操作したユーザごとに、前記印刷対象データを取得した取得先の画像形成装置から前記印刷対象データを取得した回数を示す使用履歴情報が前記記憶部に記憶されており、
前記書誌情報取得手段は、前記管理機能付画像形成装置に接続できない場合には、前記使用履歴情報に示される取得回数が最も多い画像形成装置から前記書誌情報を取得することを特徴とする請求項１記載の画像形成装置。
【請求項４】
前記印刷データ取得手段により前記印刷対象データを取得するように前記画像形成装置を操作したユーザごとに、前記印刷対象データを取得した取得先の画像形成装置から最後に印刷データを取得した日時を示す最終取得日を示す使用履歴情報が前記記憶部に記憶されており、
前記書誌情報取得手段は、前記管理機能付画像形成装置に接続できない場合には、前記使用履歴情報に示される最終取得日が最も新しい日時を示している画像形成装置から前記書誌情報を取得することを特徴とする請求項１記載の画像形成装置。
【請求項５】
前記記憶部には、前記受信手段により受信された印刷データの書誌情報に加え、前記管理機能付画像形成装置に登録された他の画像形成装置が登録した書誌情報が記憶されており、前記記憶部に記憶された書誌情報と前記管理機能付画像形成装置に記憶された書誌情報とを同期させることを特徴とする請求項２乃至請求項４のいずれか１項に記載の画像形成装置。
【請求項６】
前記書誌情報取得手段は、前記管理機能付画像形成装置に接続できない場合には、前記記憶部から書誌情報を取得することを特徴とする請求項５記載の画像形成装置。
【請求項７】
前記印刷データはＰＤＬデータを含み、
前記受信手段により前記上位装置から受信した印刷データの書誌情報を前記管理機能付画像形成装置に登録するか否かを設定可能であり、
前記受信手段により前記上位装置から受信した印刷データの書誌情報を前記管理機能付画像形成装置に登録しない場合には、受信した前記印刷データに含まれるＰＤＬデータをＲＩＰ処理し、前記記憶手段は、ＲＩＰ処理された印刷データを前記記憶部に記憶することを特徴とする請求項１乃至請求項６のいずれか１項に記載の画像形成装置。
【請求項８】
前記管理機能付画像形成装置に登録される書誌情報には前記印刷データの印刷設定が含まれることを特徴とする請求項１乃至７のいずれか１項に記載の画像形成装置。
【請求項９】
前記印刷設定は、カラーモード、用紙サイズ、部数であることを特徴とする請求項８に記載の画像形成装置。
【請求項１０】
前記書誌情報は、前記印刷データを前記上位装置から送信したユーザを示すユーザ情報を含み、
前記登録手段により登録された前記書誌情報は前記ユーザごとに管理されることを特徴とする請求項１記載の画像形成装置。
【請求項１１】
前記書誌情報取得要求は、前記ユーザ情報、及び前記他の画像形成装置の構成を示す構成情報を含み、
前記書誌情報取得手段は、前記登録手段により登録された書誌情報のうち、前記書誌情報取得要求に含まれるユーザ情報を含む書誌情報で、前記構成情報に示される構成で印刷可能な印刷データの書誌情報を前記管理機能付画像形成装置から取得することを特徴とする請求項１０記載の画像形成装置。
【請求項１２】
上位装置から受信した印刷データを他の画像形成装置からの要求に応じて送信する機能と、他の画像形成装置から印刷データを取得して印刷する機能とを有する複数の画像形成装置を有するシステムであって、
前記複数の画像形成装置の各々は、
前記上位装置から印刷データを受信する受信手段と、
前記受信手段により受信された印刷データを記憶部に記憶する記憶手段と、
前記印刷データが記憶された画像形成装置を特定する特定情報を含む書誌情報を、前記書誌情報を管理する管理機能付画像形成装置に送信することで登録する登録手段と、
前記管理機能付画像形成装置に登録された書誌情報を取得するための書誌情報取得要求を前記管理機能付画像形成装置に送信することで、前記書誌情報を取得する書誌情報取得手段と、
前記書誌情報取得手段により取得された書誌情報に含まれる特定情報から、印刷対象の印刷データである印刷対象データが記憶された画像形成装置を特定し、特定された画像形成装置から前記印刷対象データを取得する印刷データ取得手段と、
前記印刷データ取得手段により取得された前記印刷対象データを印刷する印刷手段と
を有することを特徴とするシステム。
【請求項１３】
上位装置から受信した印刷データを他の画像形成装置からの要求に応じて送信する機能と、他の画像形成装置から印刷データを取得して印刷する機能と、他の画像形成装置に保存されている印刷データの書誌情報を管理する機能とを有する管理機能付画像形成装置であって、
前記上位装置から印刷データを受信した他の画像形成装置である受信画像形成装置から、前記受信画像形成装置を特定する特定情報を含む書誌情報を受信し、受信した前記書誌情報を登録する登録手段と、
前記登録手段により登録された書誌情報を取得するための書誌情報取得要求を他の画像形成装置から受信した場合に、前記書誌情報を要求した画像形成装置に要求された書誌情報を送信する書誌情報送信手段と
を有することを特徴とする管理機能付画像形成装置。
【請求項１４】
上位装置から受信した印刷データを他の画像形成装置からの要求に応じて送信する機能と、他の画像形成装置から印刷データを取得して印刷する機能とを有する画像形成装置の制御方法であって、
前記上位装置から印刷データを受信する受信ステップと、
前記受信ステップにより受信された印刷データを記憶部に記憶する記憶ステップと、
前記印刷データが記憶された画像形成装置を特定する特定情報を含む書誌情報を、前記書誌情報を管理する管理機能付画像形成装置に送信することで登録する登録ステップと、
前記管理機能付画像形成装置に登録された書誌情報を取得するための書誌情報取得要求を前記管理機能付画像形成装置に送信することで、前記書誌情報を取得する書誌情報取得ステップと、
前記書誌情報取得ステップにより取得された書誌情報に含まれる特定情報から、印刷対象の印刷データである印刷対象データが記憶された画像形成装置を特定し、特定された画像形成装置から前記印刷対象データを取得する印刷データ取得ステップと、
前記印刷データ取得ステップにより取得された前記印刷対象データを印刷する印刷ステップと
を有することを特徴とする制御方法。
【請求項１５】
上位装置から受信した印刷データを他の画像形成装置からの要求に応じて送信する機能と、他の画像形成装置から印刷データを取得して印刷する機能とを有する画像形成装置の制御方法をコンピュータに実行させるためのプログラムであって、
前記制御方法は、
前記上位装置から印刷データを受信する受信ステップと、
前記受信ステップにより受信された印刷データを記憶部に記憶する記憶ステップと、
前記印刷データが記憶された画像形成装置を特定する特定情報を含む書誌情報を、前記書誌情報を管理する管理機能付画像形成装置に送信することで登録する登録ステップと、
前記管理機能付画像形成装置に登録された書誌情報を取得するための書誌情報取得要求を前記管理機能付画像形成装置に送信することで、前記書誌情報を取得する書誌情報取得ステップと、
前記書誌情報取得ステップにより取得された書誌情報に含まれる特定情報から、印刷対象の印刷データである印刷対象データが記憶された画像形成装置を特定し、特定された画像形成装置から前記印刷対象データを取得する印刷データ取得ステップと、
前記印刷データ取得ステップにより取得された前記印刷対象データを印刷する印刷ステップと
を有することを特徴とするプログラム。